(57)【要約】【課題】  使用時の口に対する触感が良好で、電子レンジで加熱調理されたときの良好な断熱性を備え、洗浄容易で長期の使用に耐える飲食用カップを提供する。【解決手段】飲食用カップ１は、耐熱ガラス製で上広がりのほぼ截頭円錐筒状の内容器２と、この内容器の外側に断熱空間を形成して着脱自在に嵌合する合成樹脂製の外容器３とからなる。内容器２は、外周の上下２カ所に環状の係合溝６，７を持つ。内容器２の上縁部９は、環状の段部８を介在させて、それより下方部分に対して内径及び外径が拡大し上方へ上広がりに延びる。外容器３は、内容器２の各係合溝６，７に弾性的に係合する係合突起１０，１１を内周に持ち、上端は、内容器２の段部８の直下で終結する。それにより、外周が内容器２の上縁部９の外周とほぼ連続した平滑な外周面を形成する。【選択図】図６
2008278957.tif 000002
【特許請求の範囲】
【請求項１】
耐熱ガラス製の内容器と；この内容器の外側に断熱空間を形成して着脱自在に嵌合するように合成樹脂で一体成形された外容器とからなり；前記内容器は、上広がりのほぼ截頭円錐筒状の側壁と、円形の底壁とを有し；前記外容器は、上広がりのほぼ截頭円錐筒状の側壁と、円形の底壁と、正面視において当該側壁の下部の内側に隠蔽されるように外容器の半径方向へ弾性変位可能に形成された複数の係合片とを有し；前記内容器の側壁は、外周の下部に、前記外容器の係合片が弾性的に離脱自在に係合する環状の係合溝を具備し；前記外容器の側壁は、外周が平滑に連続することを特徴とする飲食用カップ。
【請求項２】
前記外容器の側壁の下部に、正面視において当該側壁の内側に隠蔽されるように底受部が一体に形成され；この底受部は、上縁において前記外容器の側壁の内側に接続する環状側壁と、この環状側壁の下端に接続する前記円形の底壁とを具備し；前記環状側壁は、環状の主体部と、この主体部に対して外容器の半径方向へ弾性変位可能に一体に接続する前記係合片とを具備し；この係合片が、前記外容器の側壁の内側において、前記内容器の側壁の係合溝に弾性的に係合離脱自在に構成されることを特徴とする請求項１に記載の飲食用カップ。
【請求項３】
前記係合片が、前記底受部の環状側壁の主体部に形成された開口に周縁を囲まれることによって形成されることを特徴とする請求項２に記載の飲食用カップ。
【請求項４】
前記係合片が、前記外容器の側壁の下部内側において、底壁から立ち上がるように形成されることを特徴とする請求項１に記載の飲食用カップ。
【請求項５】
前記係合片は、根元部において、その背面と両側面の３面が、開口と切り込みに囲まれて底壁から切り離され、かつ当該根元部１５ａは、良好な弾性を得るために湾曲していることを特徴とする請求項４に記載の飲食用カップ。
【発明の詳細な説明】
【技術分野】
【０００１】
この発明は、インスタント食品等を収容して電子レンジで加熱調理するための容器として使用でき、加熱後にはそのまま食器として使用できる飲食用カップに関する。
【背景技術】
【０００２】
調理済み冷凍食品、チルド食品、あるいは常温流通の無菌包装食品等を包装体ごと加熱調理しそのまま食卓に供する形式の商品について、最近、環境負荷低減の観点から、包装体から取り出し、繰り返し使用可能な食器に移し代えてから電子レンジで加熱調理し、食卓に供する形式への変更要請が高まっている。
下記の特許文献１等に、お湯を注入して調理する即席麺用の発泡プラスチックカップに代わる断熱性カップとして、プラスチックと板紙からなる二重壁の断熱カップが提案されている。これらは、電子レンジ加熱調理容器として使用でき、電子レンジで加熱された食品を熱いうちに電子レンジから取り出す際に、包装体の外側が熱くなく、素手で容易に取り出すことができるようにしたものである。
【特許文献１】特開平５−１６９７７号公報
【発明の開示】
【発明が解決しようとする課題】
【０００３】
しかるに、二重のプラスチックシート成形容器あるいは前述のプラスチックと紙の二重成形容器は、一度きりの使い捨て容器として提案されているもので、この構造を、再使用できる容器に適用するには次のような問題点がある。すなわち、プラスチックは口に対する触感が悪く、また食品の油やこれに溶け込んだ色素が容器に強固に付着して洗浄しにくいし、繰り返しの洗浄により表面が傷つきやすく長期の使用に耐えない。
本発明は、前述の問題点に鑑みてなされたもので、使用時の口当たりが良好で、電子レンジにより加熱調理されたときの良好な断熱性を備え、しかも洗浄容易で長期の使用に耐えると共に、外側面が平滑で手触りがよく、またプリント等による加飾性が良好な飲食用カップを提供することを目的とする。
【課題を解決するための手段】
【０００４】
この発明においては、上記課題を解決するために、耐熱ガラス製の内容器２と合成樹脂製の外容器３とで飲食用カップ１を構成する。外容器３は、合成樹脂で一体成形され、内容器２の外側に断熱空間Ｓを形成して着脱自在に嵌合する。内容器２は、上広がりのほぼ截頭円錐筒状の側壁４と、円形の底壁５とを有する。外容器３は、上広がりのほぼ截頭円錐筒状の側壁１０と、円形の底壁１１と、正面視において当該側壁１０の下部の内側に隠蔽されるように、外容器３の半径方向へ弾性変位可能に形成された複数の係合片１５とを有する。内容器２の側壁４は、外周の下部に、外容器３の係合片１５が弾性的に離脱自在に係合する環状の係合溝６を具備する。外容器３の側壁１０は、外周が平滑に連続する。
以上添付図面の参照番号を付して説明したが、本発明はこれに限定されるものではない。
【発明の効果】
【０００５】
この発明においては、内容器２が耐熱ガラス製、外容器３が合成樹脂製で、両者間に断熱空間Ｓが形成されるから、内容器２内に収容されて電子レンジで加熱された食品を熱いうちに電子レンジから取り出す際に、容器の外側が熱くなく、素手で容易に取り出すことができる。内容器２の外周の環状の係合溝６と外容器３の内周の係合片１５とを弾性的に係合させる簡易な嵌合構造であるから、製造容易で安価に得られる。ガラス製内容器２の上縁部９が合成樹脂製外容器３の上端より上方へ延びているので、食に供するときにはガラス部位が口に接触することになる。このため、触感が良好で、心地よく飲食することができ、また内容器２の上縁部９に口吻が接することで、加熱された食品の熱を予め感知して安全に飲食することができる。内容器２の上縁部９が、下部に対して段部８を介して拡径したうえで、さらに上方へ延びているので、この部位で沸騰による食品の吹き上がりを吸収し、吹きこぼれを防止することができる。内容器２の外周面と外容器３の外周面とが平滑に連続しているので、使用感が良好であるし、凹凸がないので汚れの付着が少なく、洗浄も容易である。外容器３の側壁１０は、外周が平滑に連続するため、加飾性が高い。
【発明を実施するための最良の形態】
【０００６】
図面について本発明の実施の形態を説明する。図１は飲食用カップの分解斜視図、図２は飲食用カップの正面図、図３は飲食用カップの断面図、図４は外容器の平面図、図５は外容器の底面図、図６は外容器の一部を切り欠いた斜視図である。
【０００７】
飲食用カップ１は、耐熱ガラス製の内容器２と、この内容器２の外側に着脱自在に嵌合する合成樹脂製の外容器３とからなる。
【０００８】
図３に示すように、内容器２は、上広がりのほぼ截頭円錐筒状の側壁４と、それの底部を塞ぐ円形の底壁５とからなる。底壁５に近い高さ位置の側壁４の外周には、環状係合溝６が形成される。側壁４の上部の内周には、即席麺等の食品Ｎの浮き止め用の環状凸部７が形成される。環状凸部７の上部には、段部８を介在させて外径が拡大する上縁部９が連続する。
【０００９】
図３ないし図６に示すように、外容器３は、側壁１０と底壁１１とを有し、内容器２の外側に着脱自在に嵌合する。側壁１０の下部に、正面視において当該側壁１０の内側に隠蔽されるように底受部１２が一体に形成される。この底受部１２は、上縁において側壁１０の内側に接続する環状側壁１３と、この環状側壁１３の下端に接続する前記円形の底壁１１とを具備する。環状側壁１３は、環状の主体部１４と、この主体部１４に対して外容器の半径方向へ弾性変位可能に一体に接続する係合片１５とを具備する。係合片１５は、円周方向に等間隔に３個配置され、それぞれ環状側壁１３の主体部１４に形成された開口１４ａに周縁を囲まれることによって形成される。この３個の係合片１５は、側壁１０の内側において、内容器の側壁４の係合溝６に弾性的に係合離脱自在に構成される。
【００１０】
外容器３の側壁１０は、上端が内容器２の段部８の直下で終結することにより、外周が内容器２の上縁部９の外周とほぼ連続した、全体に平滑な外周面を形成する。側壁１０の内周には、内容器２の外周との間に断熱空間Ｓを形成するための複数のリブ１６が形成される。
【００１１】
外容器３の底部には、底受部１２の環状側壁１３を外周から締め付けるための弾性キャップ１７が着脱自在に嵌合される。弾性キャップ１７は、開口１８ａを有する円形の底壁１８と、底壁１８の縁部から立ち上がる締め付けリング１９とを備える。締め付けリング１９は、環状側壁１３を外周から締め付けることにより、係合片１５の弾性が経時により弱まり、内容器２の係合溝６との係合力が弱まることを防止する。また底壁１８は、テーブルの上面等、カップ載置面とカップ１の底部との摩擦を大きくし、安定性を高める。
【００１２】
図７ないし図１０には、他の実施形態の飲食用カップ１を示す。図７は飲食用カップの断面図、図８は同飲食用カップの外容器の平面図、図９は同飲食用カップの底面図、図１０は同飲食用カップの外容器の一部を切り欠いた斜視図である。図中、先の実施形態と同等の構成部分には同一の参照符号を付して説明を省略する。
【００１３】
この実施形態のカップ１においては、係合片１５が、外容器３の側壁１０の下部内側において、底壁１１から立ち上がるように形成される。係合片１５は、根元部１５ａにおいて、その背面（底壁１１の半径方向外側対応面）と両側面（底壁１１の円周方向対応面）の３面が、開口１１ａと切り込み１１ｂに囲まれて底壁１１から切り離され、かつ当該根元部１５ａは、良好な弾性を得るために湾曲している。また、根元部１５ａは、中央の開口１１ｃにより二又に分かれている。２０はリブであり、内容器２との嵌合時に、底壁１１と内容器２との間に断熱空間Ｓを形成する。
【００１４】
飲食用カップ１は、例えば、図３に示すように、その中に即席麺Ｎと水Ｗを入れ、電子レンジで加熱調理した後、取り出して、麺を他の食器のような容器に移し替えることなく食卓にのせ、食に供するように使用する。内容器２が耐熱ガラス製、外容器３が合成樹脂製で、両者ともマイクロ波低損失であり、それ自体は電子レンジで加熱されにくい。また、両者間に断熱空間Ｓが形成されているから、内容器２内に収容されて電子レンジで加熱された食品を熱いうちに電子レンジから取り出す際に、容器の外側が熱くなく、素手で容易に取り出すことができる。内容器２の外周の環状の係合溝６と外容器３の内周の係合片１５とを弾性的に係合させる簡易な嵌合構造であるから、製造容易で安価に得られる。ガラス製内容器２の上縁部９が合成樹脂製外容器３の上端より上方へ延びているので、食に供するときにはガラス部位が口に接触することになる。このため、触感が良好で、心地よく飲食することができ、また内容器２の上縁部９に口吻が接することで、加熱された食品の熱を予め感知して、注意深く安全に飲食することができる。内容器の上縁部９が、下部に対して段部８を介して拡径したうえで、さらに上方へ延びているので、この部位で沸騰による食品の吹き上がりを吸収し、吹きこぼれを防止することができる。内容器２の上縁部９の外周面と外容器３の外周面とが平滑に連続しているので、使用感が良好であるし、凹凸がないので汚れの付着が少なく、洗浄も容易である。特に、外容器３の側壁１０の外周は平滑であるから、印刷等による装飾が容易に行える。内容器２と外容器３とを分離して洗浄することもできる。
【図面の簡単な説明】
【００１５】
【図１】飲食用カップの分解斜視図である。
【図２】飲食用カップの正面図である。
【図３】飲食用カップの断面図である。
【図４】飲食用カップの外容器の平面図である。
【図５】飲食用カップの外容器の底面図である。
【図６】飲食用カップの外容器の一部を切り欠いた斜視図である。
【図７】他の実施形態の飲食用カップの断面図である。
【図８】他の実施形態の飲食用カップの外容器の平面図である。
【図９】他の実施形態の飲食用カップの底面図である。
【図１０】他の実施形態の飲食用カップの外容器の一部を切り欠いた斜視図である。
【符号の説明】
【００１６】
１    飲食用カップ
２    内容器
３    外容器
４    側壁
５    底壁
６    係合溝
７    環状凸部
８    段部
９    上縁部
１０  側壁
１１  底壁
１１ａ  開口
１１ｂ  切り込み
１１ｃ  開口
１２    底受部
１３    環状側壁
１４    環状主体部
１４ａ  開口
１５    係合片
１５ａ  根元部
１６    リブ
１７    弾性キャップ
１８    底壁
１８ａ  開口
１９    締め付けリング
２０    リブ
Ｓ      断熱空間
Ｎ      即席麺
Ｗ      水
【図１】
2008278957.tif 000003
【図２】
2008278957.tif 000004
【図３】
2008278957.tif 000005
【図４】
2008278957.tif 000006
【図５】
2008278957.tif 000007
【図６】
2008278957.tif 000008
【図７】
2008278957.tif 000009
【図８】
2008278957.tif 000010
【図９】
2008278957.tif 000011
【図１０】
2008278957.tif 000012